(57)【要約】【課題】広告主の負担が小さいにもかからず、大きな広告効果を上げることができ、ユーザーにとっても大きな利益になる広告システムを提供する。【解決手段】広告システムは、登録料を支払って、広告システムに加盟した加盟店Ａ１、Ａ２、Ａ３・・・ＡＮを会員が利用し、携帯端末によって、その加盟店に付与されたＱＲを読み取ると、加盟店から広告システム運営会社１に300ポイントが支払われ、300ポイントのうち、100ポイントが会員に還元され、広告システム運営会社１が150ポイントを運営費として取得し、50ポイントがその会員が広告システムの加盟店のうち、会員が初めて利用した加盟店に還元されるように構成されている。【選択図】  図１
2018206447.tif 000002
【特許請求の範囲】
【請求項１】
広告システム運営会社のアプリケーションサーバーと、複数の加盟店のパーソナルコンピュータと、複数のユーザーの携帯端末が接続されたネットワークを備え、前記複数の加盟店のパーソナルコンピュータはそれぞれ、前記複数の加盟店が前記広告システム運営会社に登録料を支払うことによって、前記広告システム運営会社の前記アプリケーションサーバーにアクセス可能になり、前記アプリケーションサーバー内に当該加盟店の情報を記憶する保存領域が生成され、前記広告システム運営会社によって前記ネットワークに広告情報をアップロードすることが許可されるとともに、前記広告システム運営会社から特定の二次元コードが付与され、前記ユーザーが携帯端末によって、前記加盟店に付与された二次元コードを読み取ると、前記ユーザーの携帯端末を特定するためのユーザー情報二次元コードによって特定された前記加盟店に関する情報とがネットワークを介して、前記アプリケーションサーバーに送られて、前記ユーザーの前記携帯端末を特定するユーザー情報が前記アプリケーションサーバーの前記保存領域のユーザー情報保存領域に保存され、前記ユーザーの前記携帯端末によって前記二次元コードが読み取られて、特定された前記加盟店に関する情報が、前記アプリケーションサーバーの前記保存領域の二次元コードによって特定された加盟店情報保存領域に保存され、前記アプリケーションサーバーは、ユーザー情報保存領域に保存されているユーザー情報と、加盟店情報保存領域に保存されている前記加盟店に関する情報とから、当該ユーザーが前記携帯端末を用いて、当該加盟店の二次元コードを初めて読み取ったと判定したときには、その旨の情報を前記ユーザー情報に付加し、その後に、当該ユーザーが前記携帯端末を用いて、パーソナルコンピュータがネットワークに接続された前記加盟店に付与された二次元コードを読み取ったときに、前記アプリケーションサーバーが二次元コードを読み取られた前記加盟店の加盟店情報保存領域に課金情報を書き込んで、所定のポイントを課金し、前記ユーザーの前記ユーザー情報保存領域にクーポン情報を書き込んで、ユーザーに所定のポイントを還元させるとともに、前記広告システム運営会社に関する情報を記憶する前記アプリケーションサーバーの運営会社情報保存領域に所定のポイントを書き込んで、前記広告システム運営会社に広告システム運営費を還元し、さらに、前記アプリケーションサーバーが、当該ユーザー情報保存領域に保存された前記ユーザー情報および加盟店情報保存領域に保存された加盟店利用情報に基づいて、当該ユーザーが前記携帯端末を用いて、二次元コードを初めて読み取った加盟店を検索し、当該加盟店の加盟店情報保存領域に特典情報を書き込んで、当該加盟店に、所定のポイントを付与するように構成されたことを特徴とする広告システム。
【請求項２】
前記ユーザー情報が前記ユーザーの前記携帯端末によって前記加盟店のスキャンバーコードを読み取った時間を特定する情報を含み、前記加盟店情報が前記ユーザーの前記携帯端末がスキャンバーコードを読み取った時間を特定する情報を含み、前記アプリケーションサーバーが、これらの情報に基づいて、当該ユーザーが前記携帯端末を用いて、当該加盟店のスキャンバーコードを初めて読み取ったか否かを判定するように構成されていることを特徴とする請求項１に記載の広告システム。
【請求項３】
前記アプリケーションサーバーが、加盟店の情報を記憶する加盟店情報保存領域、前記ユーザーの前記携帯端末を特定するユーザー情報保存領域および広告システム運営会社に関する情報を記憶する前記アプリケーションサーバーの運営会社情報保存領域が、広告システム運営会社のデータベースサーバーに設けられていることを特徴とする請求項１または２に記載の広告システム。
【請求項４】
前記携帯端末が、ネットワークに接続でき、二次元コードを読み取り可能であることを特徴とする請求項１ないし３のいずれか１項に記載の広告システム。
【請求項５】
前記携帯端末が、スマートフォンおよびタブレットよりなる群から選ばれたスマートデバイスによって構成されていることを特徴とする請求項１ないし４のいずれか１項に記載の広告システム。
【請求項６】
前記二次元コードがＱＲコード（登録商標）によって構成されていることを特徴とする請求項１ないし５のいずれか１項に記載の広告システム。
【請求項７】
前記二次元コードがデータマトリックスによって構成されていることを特徴とする請求項１ないし５のいずれか１項に記載の広告システム。
【発明の詳細な説明】
【技術分野】
【０００１】
本発明は、広告システムに関するものであり、さらに詳細には、電子クーポンを利用した広告システムに関するものである。
【背景技術】
【０００２】
インターネット上に、広告会社がウェブサイトを設け、レストランや割烹、居酒屋、食堂などの飲食店に広告を募り、パーソナルコンピュータやスマートフォンのディスプレイなどに表示されたクーポンをプリトアウトし、クーポンを持参した客に、レストランや割烹、居酒屋、食堂などの飲食店その他の広告主が、たとえば、料金の値下げ、飲み物の無料サービスなどの優待サービスをするように構成されたシステムが知られており、広く利用されている。
【０００３】
また、無料で配布されるフリーマガジンにおいても、フリーマガジンに掲載された広告部分を切り取って、その広告を掲載した広告主の飲食店に切り取った広告部分を持参した客に、広告主が優待サービスをするように構成されたシステムも知られており、広く利用されている。
【発明の概要】
【発明が解決しようとする課題】
【０００４】
しかしながら、インターネットを利用したシステムにおいては、広告主は広告会社に登録料を支払う必要があるだけでなく、何人のお客が来るかが分からない中で、広告掲載料を毎月支払わなくてはならず、広告主にとっては大きな負担になっていた。
【０００５】
一方、フリーマガジンにおいても、広告を読者にアピールできる位置に、所望の大きさのスペースで広告を掲載するためには、広告主は高額の広告料をフリーマガジンの発行会社に支払う必要があり、広告主にとっては大きな負担になっていた。
【０００６】
したがって、本発明は、広告主の負担が小さいにもかからず、大きな広告効果を上げることができ、ユーザーにとっても大きな利益になる広告システムを提供することを目的とするものである。
【課題を解決するための手段】
【０００７】
本発明のかかる目的は、広告システム運営会社のアプリケーションサーバーと、複数の加盟店のパーソナルコンピュータと、複数のユーザーの携帯端末が接続されたネットワークを備え、前記複数の加盟店のパーソナルコンピュータはそれぞれ、前記複数の加盟店が前記広告システム運営会社に登録料を支払うことによって、前記広告システム運営会社の前記アプリケーションサーバーにアクセス可能になり、前記アプリケーションサーバー内に当該加盟店の情報を記憶する保存領域が生成され、前記広告システム運営会社によって前記ネットワークに広告情報をアップロードすることが許可されるとともに、前記広告システム運営会社から特定の二次元コードが付与され、前記ユーザーが携帯端末によって、前記加盟店に付与された二次元コードを読み取ると、前記ユーザーの携帯端末を特定するためのユーザー情報二次元コードによって特定された前記加盟店に関する情報とがネットワークを介して、前記アプリケーションサーバーに送られて、前記ユーザーの前記携帯端末を特定するユーザー情報が前記アプリケーションサーバーの前記保存領域のユーザー情報保存領域に保存され、前記ユーザーの前記携帯端末によって前記二次元コードが読み取られて、特定された前記加盟店に関する情報が、前記アプリケーションサーバーの前記保存領域の二次元コードによって特定された加盟店情報保存領域に保存され、前記アプリケーションサーバーは、ユーザー情報保存領域に保存されているユーザー情報と、加盟店情報保存領域に保存されている前記加盟店に関する情報とから、当該ユーザーが前記携帯端末を用いて、当該加盟店の二次元コードを初めて読み取ったと判定したときには、その旨の情報を前記ユーザー情報に付加し、その後に、当該ユーザーが前記携帯端末を用いて、パーソナルコンピュータがネットワークに接続された前記加盟店に付与された二次元コードを読み取ったときに、前記アプリケーションサーバーが二次元コードを読み取られた前記加盟店の加盟店情報保存領域に課金情報を書き込んで、所定のポイントを課金し、前記ユーザーの前記ユーザー情報保存領域にクーポン情報を書き込んで、ユーザーに所定のポイントを還元させるとともに、前記広告システム運営会社に関する情報を記憶する前記アプリケーションサーバーの運営会社情報保存領域に所定のポイントを書き込んで、前記広告システム運営会社に広告システム運営費を還元し、さらに、前記アプリケーションサーバーが、当該ユーザー情報保存領域に保存された前記ユーザー情報および加盟店情報保存領域に保存された加盟店利用情報に基づいて、当該ユーザーが前記携帯端末を用いて、二次元コードを初めて読み取った加盟店を検索し、当該加盟店の加盟店情報保存領域に特典情報を書き込んで、当該加盟店に、所定のポイントを付与するように構成されたことを特徴とする広告システムによって達成される。
【０００８】
本発明によれば、広告システムの加盟店は、広告システムに加盟する際に、広告システム運営会社に登録料を支払うことが必要であり、その後も、会員登録をしたユーザーが利用するたびに、所定のポイントが課金されるが、この所定のポイントの課金はいわば成功報酬であり、さらに、当該加盟店で、ユーザーが初めて、携帯端末を用いて、二次元コードを読み取って、広告システムの会員になったときは、そのユーザーが広告システムの他の加盟店を利用するごとに、当該加盟店の加盟店情報保存領域に特典情報が書き込まれて、所定のポイントが付与されるから、加盟店は、きわめて短期間のうちに、初期費用である登録料を減価償却することが可能になる。
【０００９】
さらに、本発明によれば、ユーザーは、単に携帯端末を用いて、加盟店におかれた二次元コードを読み取るだけで、広告システムの会員として登録され、その後は、この広告システムに加盟している加盟店を利用するたびに、所定のポイントのクーポンの還元を受けることができ、ゲーム感覚で、電話機能を有し、二次元コードを読み取り可能な携帯端末を用いて、二次元コードを読み取るだけで、知らず知らずの間に、クーポンの取得額が増え、クーポンとの交換により、金券などを取得することができ、ユーザーにとってはきわめて魅力的な広告システムであるから、一旦、登録をした会員が脱退するという事態はきわめて少ないものと見込まれ、逆に、会員の急増が見込まれるので、加盟店、会員たるユーザーおよび広告システム運営会社のいずれもが、大きな利益を得ることが可能になる。
【００１０】
本発明において、携帯端末とは、ネットワークに接続でき、二次元コードを読み取り可能な携帯端末をいう。
【００１１】
本発明の好ましい実施態様においては、前記アプリケーションサーバーが、加盟店の情報を記憶する加盟店情報保存領域、前記ユーザーの前記携帯端末を特定するユーザー情報保存領域および広告システム運営会社に関する情報を記憶する前記アプリケーションサーバーの運営会社情報保存領域が、広告システム運営会社のデータベースサーバーに設けられている。
【００１２】
本発明の好ましい実施態様においては、前記ユーザー情報が前記ユーザーの前記携帯端末によって前記加盟店の二次元コードを読み取った時間を特定する情報を含み、前記加盟店情報が前記ユーザーの前記携帯端末が二次元コードを読み取った時間を特定する情報を含み、前記アプリケーションサーバーが、これらの情報に基づいて、当該ユーザーが前記携帯端末を用いて、当該加盟店の二次元コードを初めて読み取ったか否かを判定するように構成されている。
【００１３】
本発明のさらに好ましい実施態様においては、前記二次元コードがＱＲコード（登録商標）によって構成されている。
【００１４】
本発明の別の好ましい実施態様においては、前記二次元コードがデータマトリックスによって構成されている。
【００１５】
本発明のさらに好ましい実施態様においては、前記携帯端末がスマートデバイスによって構成されている。
【００１６】
本発明のさらに好ましい実施態様においては、前記スマートデバイスがスマートフォンによって構成されている。
【００１７】
本発明の別の好ましい実施態様においては、前記スマートデバイスがタブレット端末によって構成されている。
【発明の効果】
【００１８】
本発明によれば、広告主の負担が小さいにもかからず、大きな広告効果を上げることができ、ユーザーにとっても大きな利益になる広告システムを提供することが可能になる。
【図面の簡単な説明】
【００１９】
【図１】図１は、本発明の好ましい実施態様にかかる広告システムの構成図である。
【図２】図２は、本発明の別の好ましい実施態様にかかる広告システムの構成図である。
【発明を実施するための形態】
【００２０】
図１は、本発明の好ましい実施態様にかかる広告システムの構成図である。
【００２１】
図１に示されるように、本実施態様にかかる広告システムは、広告システム運営会社１と、広告システム運営会社１に設けられ、広告システム全体の動作を制御するとともに、広告システムを構成する加盟店Ａ１，Ａ２，Ａ３，・・・・およびＡＮである広告主に関する情報を会員ごとに記憶し、インタ−ネット５を介して、各加盟店Ａ１，Ａ２，Ａ３，・・・およびＡＮのパーソナルコンピュータ３と接続されたアプリケーションサーバー７を備えている。各加盟店Ａ１，Ａ２，Ａ３，・・・・およびＡＮには、それぞれ、広告システム運営会社１から、その加盟店に固有のユニークなＱＲコード（登録商標）４が割り当てられている。
【００２２】
広告システムに加盟する際には、各加盟店は広告システム運営会社１に所定の登録料、たとえば、７５，６００ポイントを支払うと、ＱＲコード（登録商標）４が割り当てられるとともに、インタ−ネット５上に、広告をアップロードすることの許可を受ける。このとき、各加盟店Ａ１，Ａ２，Ａ３，・・・・またはＡＮについての情報がアプリケーションサーバー７の保存領域に記憶され、その後、各加盟店Ａ１，Ａ２，Ａ３，・・・・またはＡＮから広告がインタ−ネット５にアップロードされる。
【００２３】
本実施態様においては、レストラン、割烹、居酒屋などの飲食店が加盟店Ａ１，Ａ２，Ａ３，・・・・およびＡＮとして、広告システムを構成している。
【００２４】
ユーザーが初めて、加盟店Ａ１を利用した後に、加盟店ＡＫに備えられているＱＲコード（登録商標）４を見つけ、スマートフォンやタブレットなどの携帯端末Ｔ１，Ｔ２，Ｔ３，Ｔ４・・・またはＴＭを用いて、ＱＲコード（登録商標）４を読み取って、ＱＲ認証をすると、ＱＲ認証信号が、各加盟店Ａ１，Ａ２，Ａ３，・・・・またはＡＮのパーソナルコンピュータ３から、インターネット５を介して、広告システム運営会社１に送られ、広告システム運営会社１は、アプリケーションサーバー７の保存領域に、そのユーザーに関するデータを記憶する保存領域を確保して、そのユーザーを広告システムの会員として登録する。同時に、ユーザーが携帯端末Ｔ１，Ｔ２，Ｔ３，・・・・またはＴＭを用いて、ＱＲコード（登録商標）を読み取ると、会員になったユーザーの携帯端末Ｔ１，Ｔ２，Ｔ３，・・・・またはＴＭのメモリに電子クーポンが書き込まれ、会員は１００ポイントの電子クーポンを取得する。各会員は取得している電子クーポンの総額を、いつでも、携帯端末Ｔ１，Ｔ２，Ｔ３，・・・・またはＴＭのディスプレイ（図示せず）に表示させて、電子クーポンの総額を知ることができる。
【００２５】
その後、ユーザーが別の加盟店ＡＪを利用し、電子クーポンを利用するため、スマートフォンやタブレット端末などの携帯端末Ｔ１，Ｔ２，Ｔ３，・・・・またはＴＭで、加盟店ＡＪのＱＲコード（登録商標）４を読み取ると、加盟店ＡＪのパーソナルコンピュータ３から、インタ−ネット５を介して、ＱＲ認証信号が広告システム運営会社１のアプリケーションサーバー７に送信される。加盟店ＡＪからＱＲ認証信号を受けると、広告システム運営会社１は，加盟店ＡＪに広告費用として、３００ポイントを支払わせ（アプリケーションサーバー７の保存領域に格納されている加盟店ＡＪのクーポン総額から３００ポイントを差し引く。）、そのうちの１００ポイントをユーザーに支払い（携帯端末Ｔ１，Ｔ２，Ｔ３，・・・・またはＴＭのメモリに記憶されているクーポン総額に１００ポイントが加算される。）、ユーザーが初めてＱＲ認証をし、会員登録をした加盟店ＡＫに成功報酬として５０ポイントを還元し（アプリケーションサーバー７の保存領域に格納されている還元総額に５０ポイントが加算される。）、残りの１５０ポイントが運営費として、広告システム運営会社１が取得する（アプリケーションサーバー７の保存領域に記憶されている運営費に１５０ポイントが加算される。）。
【００２６】
ユーザーが広告システムに登録されている加盟店Ａ１，Ａ２，Ａ３，・・・・またはＡＮを利用するたびに、そのユーザーが初めてＱＲ認証をし、登録をした加盟店Ａ１，Ａ２，Ａ３，・・・・またはＡＮに５０ポイントが送客手数料として支払われる。
【００２７】
こうして、ユーザーの携帯端末Ｔ１，Ｔ２，Ｔ３，・・・・またはＴＭのメモリに記憶されたクーポンの総額が１０００ポイントを越えると、ユーザーは１０００ポイントごとに、１０００円の金券に交換するように、広告システム運営会社１に要求することができ、広告システム運営会社１は、ユーザーのからかかる要求を受けると、１０００ポイントごとに、ポイントに対応する金額の金券をユーザーに交付する。
【００２８】
本実施態様によれば、広告システムの加盟店Ａ１，Ａ２，Ａ３，・・・・およびＡＮは、広告システムに加盟する際に７５、６００ポイントに相当する登録料を支払うことが必要であり、その後も、会員登録をしたユーザーが利用するたびに、３００ポイントを広告システム運営会社１に支払う必要があるが、ユーザーが利用するたびに、広告システム運営会社１に支払う３００ポイントは、いわば成功報酬であり、さらに、自分の店で、ユーザーが初めて、スマートフォンやタブレットなどの携帯端末Ｔ１，Ｔ２，Ｔ３，・・・・またはＴＭを用いて、ＱＲコード（登録商標）４を読み取って、この広告システムの会員になったときは、そのユーザーが広告システムの加盟店Ａ１，Ａ２，Ａ３，・・・・およびＡＮのうち、他の加盟店Ａ１，Ａ２，Ａ３，・・・・またはＡＮを利用するごとに、５０ポイントの還元を受けることができ、きわめて短期間のうちに、初期費用を減価償却することが可能になる。
【００２９】
加えて、本実施態様によれば、ユーザーは、単にスマートフォンやタブレット端末などの携帯端末Ｔ１，Ｔ２，Ｔ３，・・・・またはＴＭを用いて、加盟店Ａ１，Ａ２，Ａ３，・・・・またはＡＮにおかれたＱＲコード（登録商標）４を読み取るだけで、広告システムの会員として登録され、その後は、この広告システムに加盟している加盟店Ａ１，Ａ２，Ａ３，・・・・またはＡＮを利用するたびに、１００ポイントの電子クーポンを取得することができ、ゲーム感覚で、スマートフォンやタブレットなどの携帯端末Ｔ１，Ｔ２，Ｔ３，・・・・またはＴＭを用いて、ＱＲコード（登録商標）４の読み取り、電子クーポンの総額表示など操作をおこなうだけで、知らず知らずの間に、電子クーポンの取得額が増え、電子クーポンとの交換により、金券を取得することができ、ユーザーにとってはきわめて魅力的な広告システムであるから、一旦、登録をした会員が脱退するという事態はきわめて少ないものと見込まれ、逆に、会員の急増が見込まれるので、加盟店Ａ１，Ａ２，Ａ３，・・・・またはＡＮ、会員たるユーザー、広告システム運営会社１のいずれもが、大きな利益を得ることが可能になる。
【００３０】
図２は、本発明の別の好ましい実施態様にかかる広告システムの構成図であり、本実施態様にかかる広告システムは、ユーザーが獲得したポイントを特定の団体に寄付をすることができるように構成されている。
【００３１】
図２に示されるように、本実施態様にかかる広告システムにおいては、さらに、各加盟店Ａ１，Ａ２，Ａ３，・・・・またはＡＮにバーコード８が付与されており、アプリケーションサーバー７の保存領域内に、バーコード８を読み取ることによって生成された寄付データを保存する保存領域が、寄付先ごとに生成されている。
【００３２】
図１に示された実施態様においては、各加盟店Ａ１，Ａ２，Ａ３，・・・・またはＡＮには、その加盟店に固有のユニークなＱＲコード（登録商標）４が割り当てられているが、本実施態様において、広告システム運営会社１から各加盟店Ａ１，Ａ２，Ａ３，・・・・またはＡＮに付与されているバーコード８は同じ識別子によって構成されている。
【００３３】
バーコ−ド８は特定の団体、たとえば、スポーツ団体、社会貢献活動団体、日本ユニセフなどに、加盟店Ａ１，Ａ２，Ａ３，・・・・またはＡＮを利用することによって、ユーザーが獲得したポイントを寄付する際に、ユーザーの携帯端末Ｔ１，Ｔ２，Ｔ３，・・・・またはＴＭによって読み取られるもので、バーコ−ド８がユーザーの携帯端末Ｔ１，Ｔ２，Ｔ３，・・・・またはＴＭによって読み取られると、ユーザーが、携帯端末Ｔ１，Ｔ２，Ｔ３，・・・・またはＴＭを用いて、ＱＲコード（登録商標）４を読み取ったことによって取得し、ユーザーの携帯端末Ｔ１，Ｔ２，Ｔ３，・・・・またはＴＭのメモリに保存されていた電子クーポンのポイント、すなわち、１００ポイントが電子クーポンの総ポイントから差し引かれ、同時に、当該加盟店Ａ１，Ａ２，Ａ３，・・・・またはＡＮのパーソナルコンピュータ３から、インタ−ネット５を介して、バーコード読み取り信号がアプリケーションサーバー７に送信され、バーコード８を読み取ることによって生成されたデータを保存する保存領域内に保存された寄付額データが更新される。
【００３４】
本実施態様において、好ましくは、加盟店Ａ１，Ａ２，Ａ３，・・・・またはＡＮに、寄付先であるスポーツ団体、社会貢献活動団体、日本ユニセフなどに寄付を呼びかける紙の広告が貼られている。
【００３５】
本発明は、以上の実施態様に限定されることなく、特許請求の範囲に記載された発明の範囲内で種々の変更が可能であり、それらも本発明の範囲内に包含されるものであることはいうまでもない。
【００３６】
たとえば、図１に示された実施態様においては、レストラン、割烹、居酒屋などの飲食店が加盟店Ａ１，Ａ２，Ａ３，・・・・ＡＮとして、広告システムを構成しているが、加盟店がレストラン、割烹、居酒屋などの飲食店であることは必ずしも必要でなく、美容院やヘアサロン、理髪店などの美容関係のサービスを提供する店舗でもよく、消費者に関連した商品を販売する小売り店でも、さらには、加盟店Ａ１，Ａ２，Ａ３，・・・・またはＡＮが互いに関係がある商品やサービスを提供する店舗によって構成されていることも必要ではなく、関連性のない商品やサービスを提供する店舗が、加盟店Ａ１，Ａ２，Ａ３，・・・・およびＡＮを構成していてもよい。
【００３７】
また、図１に示された実施態様においては、加盟店Ａ１，Ａ２，Ａ３，・・・・またはＡＮを特定するためにＱＲコード（登録商標）４が用いられているが、データマトリックスなどの二次元バーコードを用いてもよく、一次元バーコードであるバーコードを用いることもでき、二次元コードであれば、ＱＲコード（登録商標）に限定されるものではない。
【００３８】
さらに、図１に示された実施態様にかかる広告システムにおいては、ユーザーは、獲得した１０００ポイントの電子クーポンごとに、広告システム運営会社１から、対応する金額の金券の交付を受けることができるように構成されているが、対応する金額の金券がユーザーに交付されることは必ずしも必要でなく、金券以外の特典がユーザーに還元されるように構成してもよい。
【００３９】
また、図１に示された実施態様にかかる広告システムにおいては、ユーザーは、獲得した１０００ポイントの電子クーポンごとに、広告システム運営会社１から、対応する金額の金券の交付を受けることができるように構成されているが、１０００ポイント単位ではなく、たとえば、１００ポイント、２００ポイント、５００ポイント単位で、対応する特典がユーザーに還元されるように構成することもできる。
【００４０】
さらに、図１に示された実施態様においては、各加盟店Ａ１，Ａ２，Ａ３，・・・・またはＡＮは広告システム運営会社１に７５，６００ポイントの登録料を支払って、広告システムに加盟し、会員は加盟店を利用するごとに、１００ポイントのクーポンを受け、会員が利用するたびに、加盟店は３００ポイントを課金され、広告システム運営会社１は、会員が加盟店を利用するごとに、２００ポイントの運営費を受けるように構成されているが、どのような場合に、ユーザー、加盟店Ａ１，Ａ２，Ａ３，・・・・またはＡＮおよび広告運営会社１との間で、何ポイントが移動するかは、広告システム運営会社１が、具体的状況に応じて、任意に決定することができる。
【００４１】
また、図２に示された実施態様においては、各加盟店Ａ１，Ａ２，Ａ３，・・・・またはＡＮには単一のバーコード８が付与され、したがって、寄付先は、スポーツ団体、社会貢献活動団体、日本ユニセフなどのうちの一つに限定されるが、各加盟店Ａ１，Ａ２，Ａ３，・・・・もしくはＡＮまたは加盟店Ａ１，Ａ２，Ａ３，・・・・およびＡＮの一部に、広告システム運営会社１から複数のバーコード８が付与され、読み取るバーコード８を選択することによって、ユーザーが所望の寄付先に、還元されるべき電子クーポンのポイントに対応する寄付をするように構成することもでき、かかる場合には、各加盟店Ａ１，Ａ２，Ａ３，・・・・もしくはＡＮまたは加盟店Ａ１，Ａ２，Ａ３，・・・・およびＡＮの一部に、寄付先ごとに、寄付を呼びかける複数の紙の広告が貼られていることが好ましい。
【符号の説明】
【００４２】
１  広告システム運営会社
３  加盟店のパーソナルコンピュータ
４  加盟店に割り当てられたＱＲコード（登録商標）
５  インタ−ネット
７  広告システム運営会社のアプリケーションサーバー
８  加盟店に付与されたバーコード
Ａ１，Ａ２，Ａ３，・・・・ＡＮ・・・・・  広告システムの加盟店
Ｔ１，Ｔ２，Ｔ３，・・・・ＴＭ  ユーザーの携帯端末
【図１】
2018206447.tif 000003
【図２】
2018206447.tif 000004
【手続補正書】
【提出日】平成30年11月2日(2018.11.2)
【手続補正１】
【補正対象書類名】特許請求の範囲
【補正対象項目名】全文
【補正方法】変更
【補正の内容】
【特許請求の範囲】
【請求項１】
広告システム運営会社のアプリケーションサーバーを備えた広告システムであって、
前記広告システムに登録した加盟店には該広告システム運営会社から該加盟店を特定するコードが付与され、
前記加盟店を訪れたユーザーが携帯端末によって、前記加盟店に付与された前記コードを読み取らせる処理を行うと、前記ユーザーの携帯端末を特定するためのユーザー情報と、前記コードによって特定された前記加盟店に関する情報とが前記アプリケーションサーバーに送られて該アプリケーションサーバーの保存領域に登録され、
その後に、当該ユーザーが前記複数の加盟店のうちの一の加盟店を訪れ、該ユーザーが前記携帯端末を用いて所定の処理を行ったときは、前記ユーザー情報が前記アプリケーションサーバーに送られ、
前記アプリケーションサーバーは、当該ユーザーに所定のポイントを還元する処理を行うとともに、前記保存領域に登録された情報に基づいて、当該ユーザーが前記携帯端末を用いて前記コードを初めて読み取って登録された加盟店を検索し、該検索された加盟店に所定のポイントを付与する処理を行う
ように構成されていることを特徴とする広告システム。
【請求項２】
前記所定の処理とは、前記携帯端末で、前記加盟店に付与された前記コードを読み取らせる処理であることを特徴とする請求項１に記載の広告システム。
【請求項３】
前記コードがＱＲコード（登録商標）によって構成されていることを特徴とする請求項１又は２に記載の広告システム。
【請求項４】
前記コードがデータマトリックスによって構成されていることを特徴とする請求項１〜３のいずれかに記載の広告システム。
【手続補正２】
【補正対象書類名】明細書
【補正対象項目名】０００７
【補正方法】変更
【補正の内容】
【０００７】
本発明のかかる目的は、広告システム運営会社のアプリケーションサーバーを備えた広告システムであって、前記広告システムに登録した加盟店には該広告システム運営会社から該加盟店を特定するコードが付与され、前記加盟店を訪れたユーザーが携帯端末によって、前記加盟店に付与された前記コードを読み取らせる処理を行うと、前記ユーザーの携帯端末を特定するためのユーザー情報と、前記コードによって特定された前記加盟店に関する情報とが前記アプリケーションサーバーに送られて該アプリケーションサーバーの保存領域に登録され、その後に、当該ユーザーが前記複数の加盟店のうちの一の加盟店を訪れ、該ユーザーが前記携帯端末を用いて所定の処理を行ったときは、前記ユーザー情報が前記アプリケーションサーバーに送られ、前記アプリケーションサーバーは、当該ユーザーに所定のポイントを還元する処理を行うとともに、前記保存領域に登録された情報に基づいて、当該ユーザーが前記携帯端末を用いて前記コードを初めて読み取って登録された加盟店を検索し、該検索された加盟店に所定のポイントを付与する処理を行うように構成されていることを特徴とする。また、前記所定の処理とは、前記携帯端末で、前記加盟店に付与された前記コードを読み取らせる処理であっても良い。
【手続補正３】
【補正対象書類名】明細書
【補正対象項目名】００１０
【補正方法】変更
【補正の内容】
【００１０】
本発明において、携帯端末とは、ネットワークに接続でき、加盟店を特定するコードを読み取り可能な携帯端末をいう。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
本発明の好ましい実施態様においては、前記ユーザー情報が前記ユーザーの前記携帯端末によって前記加盟店に付与された前記コードを読み取った時間を特定する情報を含み、前記加盟店に関する情報が前記ユーザーの前記携帯端末が前記コードを読み取った時間を特定する情報を含み、前記アプリケーションサーバーが、これらの情報に基づいて、当該ユーザーが前記携帯端末を用いて、当該加盟店のコードを初めて読み取ったか否かを判定するように構成されていても良い。
【手続補正６】
【補正対象書類名】明細書
【補正対象項目名】００１３
【補正方法】変更
【補正の内容】
【００１３】
本発明のさらに好ましい実施態様においては、前記コードがＱＲコード（登録商標）によって構成されている。
【手続補正７】
【補正対象書類名】明細書
【補正対象項目名】００１４
【補正方法】変更
【補正の内容】
【００１４】
本発明の別の好ましい実施態様においては、前記コードがデータマトリックスによって構成されている。